(57)【要約】【課題】無線タグを用いた情報通信を行うときに多種多様な情報の活用を図り、利用者の利便性を向上する。【解決手段】タグラベル作成装置１は、ラベル作成用アンテナＬＣ１と情報取得用アンテナＬＣ２とを備え、ラベル作成時には、印字済みタグラベル用テープ１０９のラベル作成用無線タグ回路素子に対し、アンテナＬＣ１を介して第１通信プロトコルにより通信を行って情報を書き込み、情報取得処理時には、携帯端末２００の情報取得用無線タグ回路素子に対し、アンテナＬＣ２を介して第２通信プロトコルにより通信して情報を取得する。【選択図】図５
2009059175.tif 000002
【特許請求の範囲】
【請求項１】
外郭の筐体内に、
情報を記憶するＩＣ回路部と情報の送受信を行うタグアンテナとを備えたラベル作成用無線タグ回路素子を配置したタグ媒体を搬送するための搬送手段と、
前記ラベル作成用無線タグ回路素子に対し、第１通信プロトコルを用いた無線通信を介して情報の送受信を行うラベル作成用アンテナと、
情報を記憶するＩＣ回路部と情報の送受信を行うタグアンテナとを備え前記筐体外に位置する情報取得用無線タグ回路素子との間で、前記第１通信プロトコルとは異なる第２通信プロトコルを用いた無線通信を介して情報の送受信を行う情報取得用アンテナと
を有することを特徴とするタグラベル作成装置。
【請求項２】
請求項１記載のタグラベル作成装置において、
前記情報取得用アンテナは、
携帯端末に設けられた前記情報取得用無線タグ回路素子との間で、前記携帯端末に対応した前記第２通信プロトコルを用いて情報送受信を行う
ことを特徴とするタグラベル作成装置。
【請求項３】
請求項１又は請求項２記載のタグラベル作成装置において、
前記情報取得用アンテナを介し、前記第２通信プロトコルを用いて、前記情報取得用無線タグ回路素子の前記ＩＣ回路部より情報を取得可能な読み取り制御手段と、
前記読み取り制御手段で取得した情報に対応した情報を、前記第１通信プロトコルを用いて、前記ラベル作成用アンテナを介し前記ラベル作成用無線タグ回路素子の前記ＩＣ回路部に書き込む書き込み制御手段と
を有することを特徴とするタグラベル作成装置。
【請求項４】
請求項３記載のタグラベル作成装置において、
前記読み取り制御手段は、
前記情報取得用アンテナを介し、複数種類の前記第２通信プロトコルを用いて、前記情報取得用無線タグ回路素子の前記ＩＣ回路部より情報を取得可能に構成されている
ことを特徴とするタグラベル作成装置。
【請求項５】
請求項３又は請求項４記載のタグラベル作成装置において、
前記タグ媒体を供給するカートリッジを着脱可能なカートリッジホルダを有し、
前記書き込み制御手段は、
前記カートリッジホルダに装着された前記カートリッジの種類に対応した前記第１通信プロトコルを用いて、前記ラベル作成用無線タグ回路素子の前記ＩＣ回路部への書き込みを行う
ことを特徴とするタグラベル作成装置。
【請求項６】
請求項３乃至請求項５のいずれか１項記載のタグラベル作成装置において、
前記読み取り制御手段は、
前記情報取得用無線タグ回路素子の前記ＩＣ回路部より、利用者が店舗における割引サービスを受けるための割引指示情報を取得する
ことを特徴とするタグラベル作成装置。
【請求項７】
請求項６記載のタグラベル作成装置において、
前記書き込み制御手段は、
前記ラベル作成用無線タグ回路素子の前記ＩＣ回路部に、前記割引指示情報に対応した割引情報を書き込む
ことを特徴とするタグラベル作成装置。
【請求項８】
請求項７記載のタグラベル作成装置において、
前記読み取り制御手段は、
前記情報取得用無線タグ回路素子の前記ＩＣ回路部より、前記割引指示情報とともに、前記割引サービスの照合のための照合識別子を取得し、
前記書き込み制御手段は、
前記ラベル作成用無線タグ回路素子の前記ＩＣ回路部に、前記割引情報とともに、前記照合識別子を書き込む
ことを特徴とするタグラベル作成装置。
【請求項９】
請求項７又は請求項８記載のタグラベル作成装置において、
前記書き込み制御手段は、
前記割引情報として、前記割引指示情報により割引を指示された割引金額を前記ラベル作成用無線タグ回路素子の前記ＩＣ回路部に書き込む
ことを特徴とするタグラベル作成装置。
【請求項１０】
請求項９記載のタグラベル作成装置において、
前記書き込み制御手段は、
前記搬送手段で連続して搬送される複数の前記ラベル作成用無線タグ回路素子に対し、前記割引金額をそれぞれ書き込む
ことを特徴とするタグラベル作成装置。
【請求項１１】
請求項９記載のタグラベル作成装置において、
前記書き込み制御手段は、
前記搬送手段で連続して搬送される複数の前記ラベル作成用無線タグ回路素子に対し、前記割引金額を分割した金額をそれぞれ書き込む
ことを特徴とするタグラベル作成装置。
【発明の詳細な説明】
【技術分野】
【０００１】
本発明は、外部と情報送受信可能な無線タグラベルを作成するタグラベル作成装置に関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用化されつつある。
【０００３】
上記ＲＦＩＤシステムを例えば印刷物に適用した従来技術として、特許文献１に記載のものがある。この従来技術では、印刷物（出版物等のページ）に添付した無線タグに当該印刷物に関連するウェブサイトのＵＲＬ情報が記憶されており、リーダで当該無線タグ回路素子より無線タグ情報の読み取りを行うと当該ＵＲＬ情報を取得できる。これにより、印刷物の内容に関連するウェブサイトのＵＲＬ情報を確実且つ容易に取得可能としている。
【０００４】
【特許文献１】特開２００１−３０７０４２号公報
【発明の開示】
【発明が解決しようとする課題】
【０００５】
例えば携帯端末等の操作器によりウェブサイト等にアクセスし、取得した情報を印刷物として印刷し可視化したい場合がある。このような場合、一般的には、携帯端末等から電子メールに添付してパソコンにデータを転送し、パソコンからプリンタを操作して印刷を行う必要がある。また、このようなウェブサイトより携帯端末等により取得した情報は、手軽に利用できるサービスとして既に広く定着しており、情報自体のコピー・分割（例えばクーポン券のコピー、割引金額の分割など）等が可能となればさらに便利である。
【０００６】
上記従来技術は、無線タグに印刷物に関連するウェブサイトのＵＲＬ情報を記憶させるものであり、上記のようにウェブサイト等から取得した情報の可視化、コピー、分割等の多種多様な情報の活用を図り、利用者の利便性を向上するという点には特に配慮されていなかった。
【０００７】
本発明の目的は、無線タグを用いた情報通信を行うときに多種多様な情報の活用を図り、利用者の利便性を向上できるタグラベル作成装置を提供することにある。
【課題を解決するための手段】
【０００８】
上記目的を達成するために、第１の発明は、外郭の筐体内に、情報を記憶するＩＣ回路部と情報の送受信を行うタグアンテナとを備えたラベル作成用無線タグ回路素子を配置したタグ媒体を搬送するための搬送手段と、前記ラベル作成用無線タグ回路素子に対し、第１通信プロトコルを用いた無線通信を介して情報の送受信を行うラベル作成用アンテナと、情報を記憶するＩＣ回路部と情報の送受信を行うタグアンテナとを備え前記筐体外に位置する情報取得用無線タグ回路素子との間で、前記第１通信プロトコルとは異なる第２通信プロトコルを用いた無線通信を介して情報の送受信を行う情報取得用アンテナとを有することを特徴とする。
【０００９】
本願第１発明においては、タグラベル作成時には、搬送手段でタグ媒体が搬送され、このタグ媒体に備えられたラベル作成用無線タグ回路素子に対し、ラベル作成用アンテナを介し情報送受信が行われて、無線タグラベルが作成される。一方、筐体外部の情報取得用無線タグ回路素子に対し、情報取得用アンテナを介し情報送受信が行われて、当該情報取得用無線タグ回路素子に記憶された情報の読み取りを行うことができる。このように、ラベル作成時に使用するラベル作成用アンテナとは別に情報取得用アンテナが備えられ、筐体外部に位置する情報取得用無線タグ回路素子に対し通信を行うことができる。この結果、情報取得用無線タグ回路素子より取得した情報に対応した情報を、ラベル作成用無線タグ回路素子に書き込み、タグラベルを作成することが可能となる。
【００１０】
このとき、情報取得用アンテナを介した情報取得用無線タグ回路素子との通信では第２通信プロトコルを用い、ラベル作成用アンテナを介したラベル作成用無線タグ回路素子との通信では第１通信プロトコルを用いる。これにより、情報取得用無線タグ回路素子からの情報取得時に必要な通信プロトコルが、ラベル作成時にラベル作成用無線タグ回路素子に対し使用する通信プロトコルと異なる場合であっても、対応可能となる。この結果、携帯端末等の固有の通信プロトコルに対応した情報取得用無線タグ回路素子より情報を取得し、その取得した情報に対応した情報を、別の通信プロトコルを用いてラベル作成用無線タグ回路素子へ書き込むことができる。言い換えれば、情報取得用無線タグ回路素子に記憶した情報を、別の通信プロトコルに変換した形でラベル化することができる。したがって、情報の可視化やコピー・分割等、多種多様な情報の活用が可能となり、利便性を向上することができる。
【００１１】
第２発明は、上記第１発明において、前記情報取得用アンテナは、携帯端末に設けられた前記情報取得用無線タグ回路素子との間で、前記携帯端末に対応した前記第２通信プロトコルを用いて情報送受信を行うことを特徴とする。
【００１２】
これにより、携帯端末の固有の通信プロトコルに対応した情報取得用無線タグ回路素子より情報を取得し、その取得した情報に対応した情報を、別の通信プロトコルを用いてラベル作成用無線タグ回路素子へ書き込むことができる。
【００１３】
第３発明は、上記第１又は第２発明において、前記情報取得用アンテナを介し、前記第２通信プロトコルを用いて、前記情報取得用無線タグ回路素子の前記ＩＣ回路部より情報を取得可能な読み取り制御手段と、前記読み取り制御手段で取得した情報に対応した情報を、前記第１通信プロトコルを用いて、前記ラベル作成用アンテナを介し前記ラベル作成用無線タグ回路素子の前記ＩＣ回路部に書き込む書き込み制御手段とを有することを特徴とする。
【００１４】
ある通信プロトコルに対応した情報取得用無線タグ回路素子より読み取り制御手段で情報を取得し、その取得した情報に対応した情報を、書き込み制御手段で別の通信プロトコルを用いてラベル作成用無線タグ回路素子へ書き込み、無線タグラベルを作成することができる。
【００１５】
第４発明は、上記第３発明において、前記読み取り制御手段は、前記情報取得用アンテナを介し、複数種類の前記第２通信プロトコルを用いて、前記情報取得用無線タグ回路素子の前記ＩＣ回路部より情報を取得可能に構成されていることを特徴とする。
【００１６】
これにより、互いに通信プロトコルが異なる複数種類の情報取得用無線タグ回路素子に対し、それぞれの情報取得用無線タグ回路素子に対応した最適な通信プロトコルを用いて情報を取得することができる。
【００１７】
第５発明は、上記第３又は第４発明において、前記タグ媒体を供給するカートリッジを着脱可能なカートリッジホルダを有し、前記書き込み制御手段は、前記カートリッジホルダに装着された前記カートリッジの種類に対応した前記第１通信プロトコルを用いて、前記ラベル作成用無線タグ回路素子の前記ＩＣ回路部への書き込みを行うことを特徴とする。
【００１８】
これにより、互いに通信プロトコルが異なる複数種類のカートリッジを、カートリッジホルダに装着して用いることができる。すなわち、各カートリッジから供給されるタグ媒体のラベル作成用無線タグ回路素子に対し、最適な通信プロトコルを用いて情報を書き込み、無線タグラベルを作成することができる。
【００１９】
第６発明は、上記第３乃至請求項５のいずれか１項発明において、前記読み取り制御手段は、前記情報取得用無線タグ回路素子の前記ＩＣ回路部より、利用者が店舗における割引サービスを受けるための割引指示情報を取得することを特徴とする。
【００２０】
これにより、利用者が携帯端末等を用いて店舗の情報提供サービスにアクセスし割引サービスの権利を獲得したとき、読み取り制御手段で、情報取得用無線タグ回路素子からその獲得した権利に対応した割引指示情報を取得することができる。この結果、その割引指示情報に基づき、割引サービスを受ける権利があることを記録した無線タグラベルを作成可能となる。
【００２１】
第７発明は、上記第６発明において、前記書き込み制御手段は、前記ラベル作成用無線タグ回路素子の前記ＩＣ回路部に、前記割引指示情報に対応した割引情報を書き込むことを特徴とする。
【００２２】
割引指示情報に基づき、割引サービスの内容を表す割引情報をラベル作成用無線タグ回路素子に記憶させた無線タグラベルを作成することができる。
【００２３】
第８発明は、上記第７発明において、前記読み取り制御手段は、前記情報取得用無線タグ回路素子の前記ＩＣ回路部より、前記割引指示情報とともに、前記割引サービスの照合のための照合識別子を取得し、前記書き込み制御手段は、前記ラベル作成用無線タグ回路素子の前記ＩＣ回路部に、前記割引情報とともに、前記照合識別子を書き込むことを特徴とする。
【００２４】
これにより、無線タグラベルのラベル作成用無線タグ回路素子に記憶された割引情報を例えば店舗側のリーダで読み取ったとき、読み取った照合識別子を用いて当該割引情報が正当に取得されたものであるか（不法に取得されたものでないか）を検査することができる。
【００２５】
第９発明は、上記第７又は第８発明において、前記書き込み制御手段は、前記割引情報として、前記割引指示情報により割引を指示された割引金額を前記ラベル作成用無線タグ回路素子の前記ＩＣ回路部に書き込むことを特徴とする。
【００２６】
これにより、割引サービスとして得られる割引金額をラベル作成用無線タグ回路素子に記憶させた無線タグラベルを作成することができる。
【００２７】
第１０発明は、上記第９発明において、前記書き込み制御手段は、前記搬送手段で連続して搬送される複数の前記ラベル作成用無線タグ回路素子に対し、前記割引金額をそれぞれ書き込むことを特徴とする。
【００２８】
これにより、ある利用者が例えば１つの携帯端末等を用いて店舗の情報提供サービスにアクセスし割引サービスの権利を獲得したとき、その割引サービスの利益全部を、複数の無線タグラベルそれぞれの持ち主（＝複数の利用者）で同等に得ることができる。
【００２９】
第１１発明は、上記第９発明において、前記書き込み制御手段は、前記搬送手段で連続して搬送される複数の前記ラベル作成用無線タグ回路素子に対し、前記割引金額を分割した金額をそれぞれ書き込むことを特徴とする。
【００３０】
これにより、ある利用者が例えば１つの携帯端末等を用いて店舗の情報提供サービスにアクセスし割引サービスの権利を獲得したとき、その割引サービスの利益を、複数の無線タグラベルそれぞれの持ち主（＝複数の利用者）で分配して得ることができる。
【発明の効果】
【００３１】
本発明によれば、無線タグを用いた情報通信を行うときに多種多様な情報の活用を図り、利用者の利便性を向上できる。
【発明を実施するための最良の形態】
【００３２】
以下、本発明の一実施の形態を図面を参照しつつ説明する。本実施形態は、本発明を無線タグラベルの生成システムに適用した場合の実施形態である。
【００３３】
図１は、本実施形態のタグラベル作成装置を備えた無線タグ生成システムを表すシステム構成図である。
【００３４】
図１に示すこのタグ生成システムＴＳにおいて、タグラベル作成装置１は、有線あるいは無線による通信回線ＮＷを介してルートサーバＲＳ、複数の情報サーバＩＳ、端末１１８ａ及び汎用コンピュータ１１８ｂに接続されている。なお、端末１１８ａ及び汎用コンピュータ１１８ｂを総称して以下適宜、単に「ＰＣ１１８」と称する。
【００３５】
図２は、上記タグラベル作成装置の全体構造を表す斜視図である。
【００３６】
図２において、タグラベル作成装置１は、外郭に略六面体（略立方体）形状の筐体２Ａを有する装置本体２と、この装置本体２の上面に開閉可能（又は着脱可能としてもよい）に設けられた開閉蓋３とを有している。
【００３７】
装置本体２の筐体２Ａは、装置前方側（図２中、左手前側）に位置し、装置本体２内で作成された無線タグラベルＴ（後述）を外部に排出するラベル排出口１１を備えた前壁１０と、この前壁１０のうちラベル排出口１１の下方に設けられ下端が回動可能に支持された前蓋１２とを備えている。
【００３８】
前蓋１２は押部１３を備えており、この押部１３を上方より押し込むことで前蓋１２が前方に開放されるようになっている。また、前壁１０の一端部には、タグラベル作成装置１の電源のオン・オフを行う電源ボタン１４が設けられている。
【００３９】
開閉蓋３は、装置本体２の図２中右奥側の端部にて回動可能に軸支され、バネ等の付勢部材を介して常時開放方向に付勢されている。そして、装置本体２の上面に開閉蓋３に隣接するように配置された開閉ボタン４が押されることにより、開閉蓋３と装置本体２とのロックが解除され、上記付勢部材の作用により開放される。なお、開閉蓋３の中央側部には、透明カバーで覆われた透視窓５が設けられている。
【００４０】
また、装置本体２の上面における開閉蓋３に隣接した位置には、開閉ボタン４側からカッター駆動ボタン１６、ＬＥＤ９１、モニタ９２が順に設けられている。カッター駆動ボタン１６は、装置本体２内に配設された切断機構１５（後述の図３参照）を操作者の手動操作で駆動するためのものである。このボタン１６が押されることで、印字済みタグラベル用テープ１０９（後述の図５参照）を所望の長さにカットして無線タグラベルＴを作成するようになっている。また、これらのカッター駆動ボタン１６、ＬＥＤ９１、モニタ９２等を、操作者の目につきやすくまた操作しやすい装置本体２の上面に設けることにより、操作者の操作性及び利便性を向上することができる。
【００４１】
ＬＥＤ９１は、処理モードが情報取得処理モードに切り替えられていることを操作者に報知する表示器である。具体的には、モード切替スイッチ等の適宜の切替手段により情報取得処理モードが選択切替されているときには、ＬＥＤ９１を点滅または点灯させる。なお、ＬＥＤ９１に代え、或いはＬＥＤ９１に加え、ビープ音やブザー等の音声出力による報知を行う手段（スピーカ等）を設けても良い。
【００４２】
モニタ９２は、情報取得処理モードにおける情報取得処理の結果に対応した報知（取得内容）を操作者に対して行う表示器である。なお、情報取得処理の結果として、情報取得の成功または失敗のみを報知する場合には、モニタの代わりにＬＥＤを設けても良い。この場合、動作状態を表示するＬＥＤ９１と兼用し、色、点灯間隔等によって、表示しても良い。また、音声発生による報知を行う手段（スピーカ等）を設けても良い。
【００４３】
図３は、タグラベル作成装置１の内部ユニット２０の構造（但し後述するループアンテナＬＣ１，ＬＣ２は省略）を表す斜視図である。図３において、内部ユニット２０は、概略的には、カートリッジ７を収納するカートリッジホルダ６と、印字ヘッド（サーマルヘッド）２３を備えた印字機構２１と、固定刃４０及び可動刃４１を備えた切断機構１５と、固定刃４０及び可動刃４１のテープ搬送方向下流側に位置し、ハーフカッタ３４を備えたハーフカットユニット３５（半切断手段）とが設けられる。
【００４４】
カートリッジ７の上面には、例えば、カートリッジ７内に内蔵されている基材テープ１０１のテープ幅、テープの色等を表示するテープ特定表示部８が設けられている。また、カートリッジホルダ６には、ローラホルダ２５が支持軸２９により回動可能に枢支され、切換機構により印字位置（当接位置、後述の図４参照）とリリース位置（離反位置）とに切換可能とされている。このローラホルダ２５には、プラテンローラ２６及びテープ圧接ローラ２８が回転可能に配設されており、ローラホルダ２５が上記印字位置に切り換えられたときに、それらプラテンローラ２６及びテープ圧接ローラ２８が上記印字ヘッド２３及びテープ送りローラ２７に対し圧接されるようになっている。
【００４５】
印字ヘッド２３は多数の発熱素子を備えており、カートリッジホルダ６に立設されたヘッド取付部２４に取り付けられている。
【００４６】
切断機構１５は、固定刃４０と、金属部材で構成された可動刃４１とを備えている。カッターモータ４３（後述の図６参照）の駆動力が、カッターハスバギヤ４２、ボス５０、長孔４９を介して可動刃４１の柄部４６に伝達されて可動刃が回転し、固定刃４０とともにカット動作を行う。この切断状態は、カッターハスバギヤ用カム４２Ａの作用により切り替わるマイクロスイッチ１２６により検出される。
【００４７】
ハーフカットユニット３５は、受け台３８とハーフカッタ３４とが対向して配置され、さらにガイド固定部３６Ａにより第１ガイド部３６と第２ガイド部３７とが側板４４（後述の図４参照）に取り付けられている。ハーフカッタ３４は、所定の回動支点（図示せず）を中心として、ハーフカッターモータ１２９（後述の図６参照）の駆動力によって回動する。受け台３８の端部には受け面３８Ｂが形成されている。
【００４８】
図４は、図３に示した内部ユニット２０の構造を表す平面図である。図４において、上記カートリッジホルダ６は、カートリッジ７のテープ排出部３０より排出されさらに上記ラベル排出口１１から排出される印字済みタグラベル用テープ１０９の幅方向の向きが、鉛直上下方向となるようにカートリッジ７を収納する。
【００４９】
また、内部ユニット２０には、ラベル排出機構２２と、ラベル作成用ループアンテナ（ラベル作成用アンテナ）ＬＣ１と、情報取得用ループアンテナ（情報取得用アンテナ）ＬＣ２とが設けられている。
【００５０】
ラベル作成用ループアンテナＬＣ１は、筐体２Ａの内部側に通信可能領域を備え、印字済みタグラベル用テープ１０９に備えられたラベル作成用無線タグ回路素子Ｔoに対し、第１通信プロトコル（プロトコルＡ）を用いた無線通信を介して情報の送受信を行う。情報取得用ループアンテナＬＣ２は、上記ラベル作成用ループアンテナＬＣ１と大きさや設置方向を変えることにより、筐体２Ａの外部側に通信可能領域を備えるように構成されている。例えばこの例では、ラベル作成用ループアンテナＬＣ１は通信可能領域が図４中上側に生じるような向きに配置されたループコイルを備えるのに対し、情報取得用ループアンテナＬＣ２は上記とは逆に通信可能領域が図４中下側に生じるような向きに配置されたループコイルを備えている。また情報取得用ループアンテナＬＣ２はラベル作成用ループアンテナＬＣ１よりも大きさが大きくなっている。これらの結果、ラベル作成用ループアンテナＬＣ１と情報取得用ループアンテナＬＣ２とで、通信可能領域を内外に分けて分担している。そして、筐体２Ａ外に位置する携帯端末２００に設けられた情報取得用無線タグ回路素子Ｔo（詳細は後述）との間で、第１通信プロトコル（プロトコルＡ）とは異なる第２通信プロトコル（プロトコルＢ）を用いた無線通信を介して情報の送受信を行う。そして、これらラベル作成用ループアンテナＬＣ１と情報取得用ループアンテナＬＣ２との間には、これらループアンテナＬＣ１，ＬＣ２から発生する磁束を遮断するための例えば金属製のシールド部材８５が設けられている。
【００５１】
ラベル排出機構２２は、切断機構１５において切断された後の印字済みタグラベル用テープ１０９（言い換えれば無線タグラベルＴ、以下同様）をラベル排出口１１（図２参照）より排出するものである。すなわちラベル排出機構２２は、テープ排出モータ１２３（後述の図６参照）の駆動力により回転する駆動ローラ５１と、この駆動ローラ５１に対して印字済みタグラベル用テープ１０９を挟んで対向する押圧ローラ５２と、印字済みタグラベル用テープ１０９に設けられた識別マークＰＭ（後述の図１１参照）を検出するマークセンサ１２７とを有している。上記ラベル排出口１１の内側には、印字済みタグラベル用テープ１０９をラベル排出口１１及びラベル作成用ループアンテナＬＣ１へ案内するための第１案内壁５５，５６及び第２案内壁６３，６４が設けられている。第１案内壁５５，５６及び第２案内壁６３，６４はそれぞれ一体に形成され、上記固定刃４０と可動刃４１とでカットされた印字済みタグラベル用テープ１０９（無線タグラベルＴ）の排出位置において、互いに所定の間隔を隔てられるように配置されている。
【００５２】
なお、テープ送りローラ駆動軸（搬送手段）１０８及びリボン巻取りローラ駆動軸１０７は、印字済みタグラベル用テープ１０９及びインクリボン１０５（後述）の搬送駆動力をそれぞれ与えるものであり、互いに連動して回転駆動される。
【００５３】
図５は、上記カートリッジ７の詳細構造を模式的に表す拡大平面図である。図５において、カートリッジ７は、タグラベル作成装置１のカートリッジホルダ６に装着される筐体７Ａと、この筐体７Ａ内に配置され、帯状の上記基材テープ１０１（タグ媒体）が巻回された第１ロール１０２（実際は渦巻き状であるが、図では簡略的に同心円状に示す）と、上記基材テープ１０１と略同じ幅である透明なカバーフィルム１０３が巻回された第２ロール１０４（実際は渦巻き状であるが、図では簡略的に同心円状に示す）と、インクリボン１０５（熱転写リボン、但し被印字テープが感熱テープの場合は不要）を繰り出すリボン供給側ロール２１１と、印字後のリボン１０５を巻取るリボン巻取りローラ１０６と、カートリッジ７のテープ排出部３０の近傍に回転可能に支持されたテープ送りローラ２７とを有する。なお、上記基材テープ１０１と、基材テープ１０１にカバーフィルム１０３が貼り合わされた上記印字済みタグラベル用テープ１０９とが、タグ媒体を構成する。
【００５４】
テープ送りローラ２７は、上記基材テープ１０１と上記カバーフィルム１０３とを押圧し接着させ上記印字済みタグラベル用テープ１０９としつつ、図５中矢印Ａで示す方向にテープ送りを行う（＝圧着ローラとしても機能する）。
【００５５】
第１ロール１０２は、リール部材１０２ａの周りに、長手方向に複数のラベル作成用無線タグ回路素子Ｔoが所定の等間隔で順次形成された上記基材テープ１０１を巻回している。基材テープ１０１はこの例では４層構造となっており（図５中部分拡大図参照）、内側に巻かれる側（図５中右側）よりその反対側（図５中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙（剥離材）１０１ｄの順序で積層され構成されている。
【００５６】
ベースフィルム１０１ｂの裏側（図５中左側）には、ループコイル形状に構成され情報の送受信を行うタグ側アンテナ１５２がこの例では一体的に設けられており、これに接続するように情報を記憶するＩＣ回路部１５１が形成され、これらによってラベル作成用無線タグ回路素子Ｔoが構成されている。
【００５７】
ベースフィルム１０１ｂの表側（図５中右側）には、後にカバーフィルム１０３を接着するための上記粘着層１０１ａが形成され、またベースフィルム１０１ｂの裏側（図５中左側）には、ラベル作成用無線タグ回路素子Ｔoを内包するように設けた上記粘着層１０１ｃによって上記剥離紙１０１ｄがベースフィルム１０１ｂに接着されている。
【００５８】
なお、上記剥離紙１０１ｄは、最終的にラベル状に完成した無線タグラベルＴが所定の商品等に貼り付けられる際に、これを剥がすことで粘着層１０１ｃにより当該商品等に接着できるようにしたものである。また、この剥離紙１０１ｄの表面には、各ラベル作成用無線タグ回路素子Ｔoに対応した所定の位置（この例では、搬送方向前方側のタグ側アンテナ１５２の先端よりさらに前方側の位置）に、搬送制御用の所定の識別マークＰＭ（この例では黒塗りの識別マーク。あるいはレーザ加工等により基材テープ１０１を貫通する孔を穿孔する等でもよい。又はトムソン型での加工穴等でもよい）が予め設けられている。
【００５９】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール２１１及び上記リボン巻取りローラ１０６で駆動されるリボン１０５が、上記印字ヘッド２３に押圧されることで当該カバーフィルム１０３の裏面に当接させられるようになっている。
【００６０】
リボン巻取りローラ１０６及びテープ送りローラ２７は、それぞれカートリッジ７外に設けた例えばパルスモータである搬送用モータ１１９（図３及び後述の図６参照）の駆動力が図示しないギヤ機構を介し上記リボン巻取りローラ駆動軸１０７及び上記テープ送りローラ駆動軸１０８に伝達されることによって連動して回転駆動される。
【００６１】
上記構成において、上記第１ロール１０２より繰り出された基材テープ１０１は、テープ送りローラ２７へと供給される。一方、第２ロール１０４より繰り出されるカバーフィルム１０３は、その裏面側（すなわち上記基材テープ１０１と接着される側）に配置されリボン供給側ロール２１１とリボン巻取りローラ１０６とにより駆動されるインクリボン１０５が、上記印字ヘッド２３に押圧されて当該カバーフィルム１０３の裏面に当接させられる。
【００６２】
そして、カートリッジ７が上記カートリッジホルダ６に装着されロールホルダ２５が上記リリース位置から上記印字位置に移動されると、カバーフィルム１０３及びインクリボン１０５が印字ヘッド２３とプラテンローラ２６との間に狭持されるとともに、基材テープ１０１及びカバーフィルム１０３がテープ送りローラ２７と圧着ローラ２８との間に狭持される。そして、搬送用モータ１１９の駆動力によってリボン巻取りローラ１０６及びテープ送りローラ２７が図５中矢印Ｂ及び矢印Ｃで示す方向にそれぞれ同期して回転駆動される。このとき、前述のテープ送りローラ駆動軸１０８と上記圧着ローラ２８及びプラテンローラ２６はギヤ機構（図示せず）にて連結されており、テープ送りローラ駆動軸１０８の駆動に伴いテープ送りローラ２７、圧着ローラ２８及びプラテンローラ２６が回転し、第１ロール１０２から基材テープ１０１が繰り出され、上述のようにテープ送りローラ２７へ供給される。一方、第２ロール１０４からはカバーフィルム１０３が繰り出されるとともに、印刷駆動回路１２０（後述の図６参照）により印字ヘッド２３の複数の発熱素子が通電される。この結果、カバーフィルム１０３の裏面に、貼り合わせ対象となる基材テープ１０１上のラベル作成用無線タグ回路素子Ｔoに対応した印字Ｒ（後述の図１１参照）が印刷される。そして、上記基材テープ１０１と上記印刷が終了したカバーフィルム１０３とが上記テープ送りローラ２７及び圧着ローラ２８により接着されて一体化されて印字済みタグラベル用テープ１０９として形成され、テープ排出部３０（図４参照）よりカートリッジ７外へと搬出される。カバーフィルム１０３への印字が終了したインクリボン１０５は、リボン巻取りローラ駆動軸１０７の駆動によりリボン巻取りローラ１０６に巻取られる。
【００６３】
また、カートリッジホルダ６の対応する位置には、カートリッジ７の装着状態を検出するカートリッジセンサ８１が設けられており、このカートリッジセンサ８１の検出信号が制御回路１１０（後述の図６参照）へ入力されるようになっている。
【００６４】
そして、上述のように貼り合わされて生成された印字済みタグラベル用テープ１０９に対し上記ラベル作成用ループアンテナＬＣ１によりラベル作成用無線タグ回路素子Ｔoに情報読み取り又は書き込みが行われた後、自動的にあるいは上記カッター駆動ボタン１６（図２参照）を操作することにより切断機構１５によって印字済みタグラベル用テープ１０９が切断され、無線タグラベルＴが生成される。この無線タグラベルＴは、その後さらに上記ラベル排出機構２２によってラベル排出口１１（図２、図４参照）から排出される。
【００６５】
図６は、本実施形態のタグラベル作成装置１の制御系を表す機能ブロック図である。図６において、このタグラベル作成装置１の制御基板（図示せず）上には、制御回路１１０が配置されている。
【００６６】
制御回路１１０には、各機器を制御するＣＰＵ１１１と、このＣＰＵ１１１にデータバス１１２を介して接続された入出力インターフェース１１３と、ＣＧＲＯＭ１１４と、ＲＯＭ１１５，１１６と、ＲＡＭ１１７とが設けられている。
【００６７】
ＲＯＭ１１６には、上記ＰＣ１１８からの操作入力信号に対応させて、印字バッファのデータを読み出して上記印字ヘッド２３、搬送用モータ１１９、テープ排出モータ６５を駆動する印字駆動制御プログラム、印字終了した場合に印字済みタグラベル用テープ１０９を切断位置まで搬送用モータ１１９を駆動して搬送し、上記カッターモータ４３を駆動して印字済みタグラベル用テープ１０９を切断する切断駆動制御プログラム、切断された印字済みタグラベル用テープ１０９（＝無線タグラベルＴ）をテープ排出モータ６５を駆動してラベル排出口１１から強制的に排出するテープ排出プログラム、ラベル作成用又は情報取得用の無線タグ回路素子Ｔoに対する問いかけ信号や書き込み信号などのアクセス情報を生成して送信回路に出力する送信プログラム、受信回路から入力された応答信号などを処理する受信プログラム、その他タグラベル作成装置１の制御上必要な各種のプログラムが格納されている。ＣＰＵ１１１は、このようなＲＯＭ１１６に記憶されている各種プログラムに基づいて各種の演算を行う。
【００６８】
ＲＡＭ１１７には、テキストメモリ１１７Ａ、印字バッファ１１７Ｂ、パラメータ記憶エリア１１７Ｅ等が設けられている。テキストメモリ１１７Ａには、ＰＣ１１８から入力された文書データが格納される。印字バッファ１１７Ｂには、複数の文字や記号等の印字用ドットパターンや各ドットの形成エネルギ量である印加パルス数等がドットパターンデータとして格納され、印字ヘッド２３はこの印字バッファ１１７Ｂに記憶されているドットパターンデータに従ってドット印字を行う。パラメータ記憶エリア１１７Ｅには、各種演算データや、情報読み取り（取得）が行われた情報取得用無線タグ回路素子Ｔo（前述）のタグ識別情報（タグＩＤ）等が記憶される。
【００６９】
入出力インターフェース１１３には、ＰＣ１１８と、印字ヘッド２３を駆動するための上記印刷駆動回路１２０と、搬送用モータ１１９を駆動するための搬送用モータ駆動回路１２１と、カッターモータ４３を駆動するためのカッターモータ駆動回路１２２と、ハーフカッターモータ１２９を駆動するためのハーフカッターモータ駆動回路１２８と、テープ排出モータ６５を駆動するためのテープ排出モータ駆動回路１２３と、上記ループアンテナＬＣ１，ＬＣ２を介してラベル作成用又は情報取得用無線タグ回路素子Ｔoにアクセスする(読取り／書込みを行う)ための搬送波を発生させるとともに、上記制御回路１１０から入力される制御信号に基づいて上記搬送波を変調して質問波を出力する送信回路３０６と、ラベル作成用又は情報取得用無線タグ回路素子Ｔoから上記ループアンテナＬＣ１，ＬＣ２を介して受信された応答波（応答信号）の復調を行い、上記制御回路１１０に出力する受信回路３０７と、識別マークＰＭを検出する上記マークセンサ１２７と、上記カートリッジ７の装着状態を検出する上記カートリッジセンサ８１と、ＬＥＤ９１と、モニタ９２とが接続されている。
【００７０】
また、上記送信回路３０６及び受信回路３０７は、アンテナ共用器２４０及び切替回路８６を介してループアンテナＬＣ１，ＬＣ２に接続されている。切替回路８６は、制御回路１１０からの制御信号に基づき、上記アンテナ共用器２４０をラベル作成用ループアンテナＬＣ１又は情報取得用ループアンテナＬＣ２に接続するように切り替える。具体的には、制御回路１１０は、ラベル作成時にはアンテナ共用器２４０とラベル作成用ループアンテナＬＣ１とを接続し、情報取得時にアンテナ共用器（送受分離器）２４０と情報取得用ループアンテナＬＣ２とを接続するように、上記切替回路８６を制御する。また、送信回路３０６及び受信回路３０７は、制御回路１１０からの制御信号により、その送受信する信号に用いる通信プロトコルを複数種類（少なくとも、上記通信プロトコルＡ、通信プロトコルＢを含む）切り替えられるようになっている。
【００７１】
このような制御回路１１０を核とする制御系において、ＰＣ１１８を介して文字データ等が入力された場合、そのテキスト（文書データ）がテキストメモリ１１７Ａに順次記憶されるとともに、印字ヘッド２３が駆動回路１２０を介して駆動され、各発熱素子が１ライン分の印字ドットに対応して選択的に発熱駆動されて印字バッファ１１７Ｂに記憶されたドットパターンデータの印字を行い、これと同期して搬送用モータ１１９が駆動回路１２１を介してテープの搬送制御を行う。また、送信回路３０６が制御回路１１０からの制御信号に基づき搬送波の変調制御を行い質問波を出力するとともに、受信回路３０７は制御回路１１０からの制御信号に基づき復調した信号の処理を行う。
【００７２】
図７は、上記高周波回路３２の詳細機能を表す機能ブロック図である。この図７において、高周波回路３２は、上記アンテナＬＣ（ＬＣ１，ＬＣ２）を介し無線タグ回路素子Ｔoに対して送信波を送信するための送信回路３０６と、アンテナＬＣにより受信された無線タグ回路素子Ｔoからの応答波を受信し入力するための受信回路３０７と、アンテナ共用器２４０とから構成される。
【００７３】
送信回路３０６は、無線タグ回路素子ＴoのＩＣ回路部１５１の無線タグ情報にアクセスする(書き込み又は読み取りを行う)ための搬送波を発生させる水晶振動子３３５、制御回路１１０の制御により所定の周波数の信号を発生させるＰＬＬ（Phase  Locked  Loop）３３６、及びＶＣＯ（Voltage  Controlled  Oscillator）３３７と、上記制御回路１１０から供給される制御信号に基づいて上記発生させられた搬送波を変調（この例では制御回路１１０からの「ＴＸ＿ＡＳＫ」信号に基づく振幅変調）する送信乗算回路３３８（但し振幅変調の場合は増幅率可変アンプ等を用いてもよい）と、その送信乗算回路３３８により変調された変調波（無線タグ情報）を、制御回路１１０からの「ＴＸ＿ＰＷＲ」信号によって増幅率を決定し増幅する送信アンプ３３９とを備えている。そして、上記発生される搬送波は、好適にはＵＨＦ帯、マイクロ波帯、あるいは短波帯の周波数を用いており、上記送信アンプ３３９の出力は、アンテナ共用器２４０を介してアンテナＬＣに伝達されて無線タグ回路素子ＴoのＩＣ回路部１５１に供給される。なお、無線タグ情報は上記のように変調した信号に限られず、単なる搬送波のみの場合もある。
【００７４】
受信回路３０７は、アンテナＬＣにより受信された無線タグ回路素子Ｔoからの反射波と上記発生させられた搬送波とを乗算して復調する受信第１乗算回路３４０と、この受信第１乗算回路３４０の出力から必要な帯域の信号のみを取り出すための第１バンドパスフィルタ３４１と、この第１バンドパスフィルタ３４１の出力を増幅する受信第１アンプ３４３と、この受信第１アンプ３４３の出力をさらに増幅してデジタル信号に変換する第１リミッタ３４２と、上記アンテナＬＣにより受信された無線タグ回路素子Ｔoからの反射波と上記発生された後に移相器３４９で位相が９０°遅れた搬送波とを乗算する受信第２乗算回路３４４と、その受信第２乗算回路３４４の出力から必要な帯域の信号のみを取り出すための第２バンドパスフィルタ３４５と、この第２バンドパスフィルタ３４５の出力を増幅する受信第２アンプ３４７と、この受信第２アンプ３４７の出力をさらに増幅してデジタル信号に変換する第２リミッタ３４６とを備えている。そして、上記第１リミッタ３４２から出力される信号「ＲＸＳ−Ｉ」及び第２リミッタ３４６から出力される信号「ＲＸＳ−Ｑ」は、上記制御回路１１０に入力されて処理される。
【００７５】
また、受信第１アンプ３４３及び受信第２アンプ３４７の出力は、ＲＳＳＩ（Received  Signal  Strength  Indicator)回路３４８にも入力され、それらの信号の強度を示す信号「ＲＳＳＩ」が制御回路１１０に入力される。これにより、タグラベル作成装置１では、無線タグ回路素子Ｔoとの通信時における当該無線タグ回路素子Ｔoからの信号強度を検出することが可能であるとともに、携帯端末２００（後述の図８参照）に設けられた情報取得用無線タグ回路素子Ｔoとの無線通信時にも当該無線タグ回路素子Ｔoからの信号強度を検出することが可能となっている。
【００７６】
図８は、上記タグラベル作成装置１と通信可能な携帯端末２００の全体構造を表す外観図である。この図８に示すように、携帯端末２００は周知のように電話機能、ネットワーク機能、およびＢｌｕｅｔｏｏｔｈ等の近距離通信機能を有する携帯電話型端末である。この携帯端末２００は、通信用のアンテナ２０２と、各種表示（後述する印字データ編集画面やバーコードリーダ操作画面等）を行う表示部２０９と、電話機能を使用する際の番号入力や表示部２０９内の表示情報に基づき各種操作入力を行うための複数の操作キー２１０とを前面パネルに有している。また、携帯端末２００は、周知のように写真撮影機能及びバーコードリーダとしての機能も有しており、写真撮影用のレンズ（図示せず）及びバーコードスキャナ（図示せず）が後面パネルに設けられている。
【００７７】
また、携帯端末２００は、さらに無線タグ２２０を適宜の箇所（この例ではパネル側面）に設けている。この無線タグ２２０には上記情報取得用無線タグ回路素子Ｔoを備えている。
【００７８】
図９は上記携帯端末２００の詳細機能を表す機能ブロック図である。
【００７９】
この図９において、携帯端末２００は、各構成要素がＣＰＵ等を含む制御部２１７により制御されて動作するようになっている。
【００８０】
通話の音声信号は、アンテナ２０２、無線送受信部２０３、及び信号処理部２０４により処理される。すなわち、他の電話装置からの送信電波はアンテナ２０２で受信され、無線送受信部２０３で復調されて受信信号が生成される。この受信信号は信号処理部２０４で再生のための信号処理が施され、スピーカ２０５から音声として再生される。一方、使用者の音声はマイク２０６に入力されて音声信号に変換される。この音声信号は、信号処理部２０４において送信のための信号処理を施され、無線送受信部２０３へ送られる。無線送受信部２０３は、信号処理部２０４からの音声信号を変調してアンテナ２０２へ供給し、アンテナ２０２はその音声信号を電波として送信する。無線送受信部２０３は、制御部２１７の制御に従って他の携帯端末との音声通信、ネットワーク通信との通信を行う。
【００８１】
電話受信等の使用者への通知は、信号処理部２０４に制御信号を出力し、スピーカ２０５から音声として再生させる、または、音声の代わりもしくは音声と同時に、表示部２０９に制御信号を出力し、適宜の表示を行うことにより行う。
【００８２】
このとき、制御部２１７には、システムメモリ２１１、電話番号メモリ２１２、画像データメモリ２１４、作業メモリ２１５が接続されている。システムメモリ２１１には、携帯端末２００の有する種々の機能を実行するためのプログラムを予め記憶している。電話番号メモリ２１２は、複数の電話番号をその相手の名前と関連付けて記録している。また、作業メモリ２１７は、種々の処理において一時的にデータを記憶するために使用される。
【００８３】
また、無線タグ２２０に設けられた上記情報取得用無線タグ回路素子Ｔoは、タグラベル作成装置で作成されるラベル作成用無線タグ回路素子Ｔoの通信プロトコル（プロトコルＡ）は異なる通信プロトコル（通信プロトコルＢ）に対応したものが設置され、ループアンテナ１５２を介し、その通信プロトコルＢを用いた無線通信により上記タグラベル作成装置１の情報取得用ループアンテナＬＣ２と情報送受信を行う。情報取得用無線タグ回路素子Ｔoには、メモリ部１５７、制御部１５５、変復調部１５８が互いに接続されて設けられている（なお、メモリ部１５７、制御部１５５、変復調部１５８の詳細については図１０において後述する）。メモリ部１５７は、この例では例えばデュアルポートタイプのメモリとして構成されており、メモリ部１５７の一方のポート（図示左側）は制御部１５５と接続されている。メモリ部１５７の他方のポート（図示右側）は外部出力端子であり、例えば有線接続手段を介して携帯端末２００の制御部２１７と接続されている。そして、この情報取得用無線タグ回路素子Ｔoは、例えば、携帯端末２００で無線送受信部２０３及びアンテナ２０２を介しウェブサイト（店舗のホームページ等）にアクセスし入手した割引サービスを受けるための割引指示情報（クーポン情報）を記憶するために用いられる（詳細は後述）。すなわち、入手した店舗のクーポン情報を初めとする情報は、制御部２１７へ供給され、この情報が上記情報取得用無線タグ回路素子Ｔｏのメモリ部１５７に記憶され、必要に応じてさらに画像データメモリ２１４又は作業メモリ２１５に記憶される。
【００８４】
図１０は、上記ラベル作成用又は情報取得用無線タグ回路素子Ｔoの機能的構成を表す機能ブロック図である。この図１０において、ラベル作成用又は情報取得用無線タグ回路素子Ｔoは、タグラベル作成装置１側のループアンテナＬＣ１，ＬＣ２と磁気誘導により非接触で信号の送受信を行う上記ループアンテナ１５２と、このループアンテナ１５２に接続された上記ＩＣ回路部１５１とを有している。
【００８５】
ＩＣ回路部１５１は、ループアンテナ１５２により受信された質問波を整流する整流部１５３と、この整流部１５３により整流された質問波のエネルギを蓄積し駆動電源とするための電源部１５４と、上記ループアンテナ１５２により受信された質問波からクロック信号を抽出して制御部１５５に供給するクロック抽出部１５６と、所定の情報信号を記憶し得るメモリ部１５７（前述のように情報取得用無線タグ回路素子Ｔoでは携帯端末２００の制御部２１７と接続）と、上記ループアンテナ１５２に接続された変復調部１５８と、上記メモリ部１５７、クロック抽出部１５６、及び変復調部１５８等を介して上記無線タグ回路素子Ｔoの作動を制御するための上記制御部１５５とを備えている。
【００８６】
変復調部１５８は、ループアンテナ１５２により受信された上記タグラベル作成装置１のループアンテナＬＣ１，ＬＣ２からの通信信号の復調を行い、また、上記制御部１５５からの返信信号を変調し、ループアンテナ１５２より応答波として送信する。
【００８７】
制御部１５５は、上記変復調部１５８により復調された受信信号を解釈し、上記メモリ部１５７において記憶された情報信号に基づいて返信信号を生成し、上記変復調部１５８によりループアンテナ１５２から返信する制御等の基本的な制御を実行する。
【００８８】
図１１は、上述の構成のタグラベル作成装置１によりラベル作成用無線タグ回路素子Ｔoの情報書き込み（又は読み取り）及び印字済みタグラベル用テープ１０９の切断が完了し形成された無線タグラベルＴの外観の一例を表す図であり、図１１（ａ）は上面図、図１１（ｂ）は下面図である。また図１２（ａ）は、図１１中XIIA−XIIA′断面による横断面図を反時計方向に９０°回転させた図であり、図１２（ｂ）は、図１１中XIIB−XIIB′断面による横断面図を反時計方向に９０°回転させた図である。
【００８９】
これら図１１及び図１２において、無線タグラベルＴは、前述したように図５に示した４層構造にカバーフィルム１０３が加わった５層構造となっており、カバーフィルム１０３側（図１２中上側）よりその反対側（図１２中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたループアンテナ１５２を含むラベル作成用無線タグ回路素子Ｔoがベースフィルム１０１ｂ及び粘着層１０１ｃ内に備えられるとともに、カバーフィルム１０３の裏面にラベル作成用無線タグ回路素子Ｔoの記憶情報等に対応したラベル印字Ｒが印刷されている。この例では、居酒屋における割引クーポン券が無線タグラベルＴとして発行された場合を例にとって示している（２０００円分の割引）。
【００９０】
また、カバーフィルム１０３、粘着層１０１ａ、ベースフィルム１０１ｂ、粘着層１０１ｃには、既に述べたように上記ハーフカッタ３４によってテープ幅方向に略沿ってハーフカット線ＨＣ（半切断部位。但しこの例では前ハーフカット線ＨＣ1及び後ハーフカット線ＨＣ2の２本）が形成されている。カバーフィルム１０３のうち、これらハーフカット線ＨＣ1，ＨＣ2の間に挟まれた領域がラベル印字Ｒが印刷される印字領域Ｓとなり、印字領域Ｓよりハーフカット線ＨＣ1，ＨＣ2を挟んでテープ長手方向両側がそれぞれ前余白領域Ｓ1及び後余白領域Ｓ2となっている。
【００９１】
なお、図１１（ｃ）は、後述の割引金額を分割する場合を示す図である。この例では、上記図１１（ａ）で示した居酒屋の割引クーポン額（２０００円分の割引）を４等分し、それぞれ割引額が５００円である４枚のクーポン券（無線タグラベルＴ−１，Ｔ−２，Ｔ−３，Ｔ−４）を発行した場合を示している。
【００９２】
上記のような基本構成であるタグラベル作成装置１においては、前述したように、筐体２Ａ内でラベル作成用無線タグ回路素子Ｔoを用いて無線タグラベルＴを作成するラベル作成処理モードと、装置１外部の携帯端末２００の情報取得用無線タグ回路素子Ｔoから情報読み取り（取得）を行う情報取得処理モードとが実行可能である。すなわち、ラベル作成処理モードでは、ラベル作成用無線タグ回路素子Ｔoを備えた基材テープ１０１がテープ送りローラ２７で搬送され、ラベル作成用ループアンテナＬＣ１を介しラベル作成用無線タグ回路素子Ｔoに対し通信プロトコルＡ（第１通信プロトコル）を使用して情報送受信を行って情報を書き込み、無線タグラベルＴが作成される。一方、情報取得処理モードでは、情報取得用ループアンテナＬＣ２を介し筐体２Ａの外部に位置する情報取得用無線タグ回路素子Ｔo（つまり携帯端末２００の無線タグ回路素子）に対し通信プロトコルＢ（第２通信プロトコル）を使用して情報送受信を行って、所定の無線タグ情報が読み取られ、取得される。
【００９３】
図１３は、上記携帯端末２００によってサーバー上の店舗のホームページから割引サービスの情報を携帯タグ２２０の情報取得用無線タグ回路素子に取得する際に実行される制御手順を表すフローチャートである。
【００９４】
この図１３において、まずステップＳ１０において、携帯端末２００の操作者が操作キー１１０によりネットサービスのサーバへの接続操作をすると、携帯端末２００の制御部２１７が信号処理部２０４及び無線送受信部２０３を介し、携帯端末２００をサーバに接続する（接続通信を行う）。
【００９５】
ついでステップＳ１５では、携帯端末２００の制御部２１７が、情報取得用無線タグ回路素子Ｔoの制御部１５５より取得した情報取得用無線タグ回路素子ＴoのタグＩＤの認証を、信号処理部２０４及び無線送受信部２０３を介し、サーバに要求する。
【００９６】
ステップＳ２０では、サーバが、認証要求された携帯タグ２２０のタグＩＤが登録済みのＩＤか否かを判定し、登録済みのＩＤでないと判定された場合は、情報取得用無線タグ回路素子Ｔoに対し認証拒否を返信する。情報取得用無線タグ回路素子ＴoのタグＩＤが登録済みのＩＤと判定された場合は、サーバはつぎのステップＳ２５に移行してネットサービスを開始する。また上記認証された旨の返信が無線送受信部２０３及び信号処理部２０４を介し、携帯端末２００の制御部２１７で取得される。
【００９７】
ステップＳ３０では、サーバによるネットサービスの開始により、無線送受信部２０３及び信号処理部２０４を介し制御部２１７で取得された情報に基づき、ホームページの画像が携帯端末２００の表示画面（表示部）２０９に表示される。利用者は操作キー２１０の操作で表示画面２０９のホームページの画像を切り替え・選択することにより、ネットサービスを適宜に利用する。
【００９８】
ついでステップＳ３５において、利用者がある店舗のホームページに掲載されている割引サービスを受けようとする場合、操作キー２１０の操作によりサーバに割引指示に関するクーポン券の発行を要求する。すると、これに対応した信号（情報）が制御部２１７で生成され、信号処理部２０４及び無線送受信部２０３を介し、サーバに送信される。
【００９９】
ステップＳ４０では、携帯端末２００からのクーポン券の発行要求を受けて、サーバから携帯端末２００の情報取得用無線タグ回路素子Ｔoに対しクーポン券の割引金額（例えば１０００円）を割引情報として通知する。無線送受信部２０３及び信号処理部２０４を介し制御部２１７で取得されたこの割引金額情報に基づき、当該割引金額の画像が携帯端末２００の表示画面（表示部）２０９に表示される。
【０１００】
ついでステップＳ４５で、さらにサーバから携帯端末２００に対しクーポン券の割引金額をｎ枚分に分割するかを問い合わせる。無線送受信部２０３及び信号処理部２０４を介し制御部２１７で取得されたこの問い合わせ情報に基づき、当該問い合わせ内容を表す画像が携帯端末２００の表示画面（表示部）２０９に表示される。この例では、例えば利用者に対しクーポン券の割引金額を分割するか否かの質問画面を表示する。
【０１０１】
ステップＳ５０では、利用者が操作キー２１０によりクーポン券の割引金額を分割する選択をしたかどうかを判定する。分割する選択をした場合は判定が満たされてつぎのステップＳ５５に移る。分割をしない選択をした場合は、ステップＳ５５を経ずにステップＳ６０に移行する。
【０１０２】
ステップＳ５５では、表示画面２０９を見た操作者が操作キー２０９を介し行われた、クーポン券の割引金額の何分割するか（例えば割引金額１０００円を割引金額２００円×５枚均等分割）の意思表示を入力する。
【０１０３】
ついでステップＳ６０において、ステップＳ５０又はステップＳ５５での分割可否及び分割方法含む結果を、制御部２１７が、信号処理部２０４及び無線送受信部２０３を介し、サーバに返答する。
【０１０４】
ステップＳ６５では、サーバが、携帯端末２００からの返答を受けて、クーポン券の枚数分のセキュリティコード（照合識別子）、すなわちクーポン券の割引金額を分割しない場合は１枚分、クーポン券の割引金額を例えば５分割する場合は５枚分のセキュリティコードを発生する。
【０１０５】
ステップＳ７０では、サーバからクーポン券データとして枚数分のタグＩＤとセキュリティコードとを携帯端末２００に送信し、これらは無線送受信部２０３及び信号処理部２０４を介し制御部２１７で取得される。
【０１０６】
ついでステップＳ７５において、サーバのテーブルに上記のクーポン券データを（発行済みであるとして）記録する。
【０１０７】
一方、ステップＳ７０でのサーバからのクーポン券データの送信を受けた携帯端末２００では、制御部２１７がステップＳ８０においてセキュリティコードを情報取得用無線タグ回路素子Ｔoのメモリ１５７に書き込む。これにより、クーポン券発行情報が携帯端末２００の情報取得用無線タグ回路素子Ｔoに入手される。
【０１０８】
ついでステップＳ８５において、携帯端末２００によりサーバのホームページからクーポン券発行情報を入手するサービスが終了し、制御部２１７がその旨の終了信号を信号処理部２０４及び無線送受信部２０３を介し、サーバに送信する。
【０１０９】
サーバでは、携帯端末２００からのクーポン券発行情報の入手サービスの終了信号を受けて、ステップＳ９０においてサービスの終了処理を行い、携帯端末２００からの接続を切断する（切断のための通信を行う）。そして、サーバでのフロー及び携帯端末２００でのフローが終了する。
【０１１０】
図１４は、タグラベル作成装置１の制御回路１１０が、上記情報取得モードにおいて、携帯端末２００の情報取得用無線タグ回路素子Ｔoより無線通信によりクーポン情報を取得する際の制御手順を表すフローチャートである。
【０１１１】
図１４に示すように、まずステップＳ１０５において、通信プロトコルを通信プロトコルＢ（第２通信プロトコル。ラベル作成用無線タグ回路素子Ｔoとの通信に用いられる第１通信プロトコルとしてのプロトコルＡとは異なる）に設定する。
【０１１２】
そして、ステップＳ１１０において、タグラベル作成装置１の制御回路１１０が、切替回路８６に切替制御信号を出力しアンテナ共用器２４０と情報取得用ループアンテナＬＣ２とを接続させる。その後、高周波回路３２及び情報取得用ループアンテナＬＣ２を介し、携帯端末２００の情報取得用無線タグ回路素子Ｔoに対し、タグ識別情報（タグＩＤ）を読み取るための問いかけ信号（読み取り信号）を（上記通信プロトコルＢを用いて）送信する。
【０１１３】
次のステップＳ１１５では、携帯端末２００の情報取得用無線タグ回路素子Ｔoの制御部１５５が、ループアンテナ１５２及び変復調部１５８を介し上記タグＩＤ読み取り信号を受信したか否かを判定する。この判定はタグＩＤ読み取り信号が受信されるまで続けられ、タグＩＤ読み取り信号が受信されると判定が満たされて、つぎのステップＳ１２０に移る。
【０１１４】
ステップＳ１２０では、情報取得用無線タグ回路素子Ｔoの制御部１５５が、上記ステップＳ１１５で受信したタグＩＤ読み取り信号の受信に応答して、タグＩＤを含む応答信号を変復調部１５８で生成しループアンテナ１５２を介しタグラベル作成装置１側へと送信する。
【０１１５】
つぎのステップＳ１２５では、タグラベル作成装置１の制御回路１１０が、上記情報取得用無線タグ回路素子Ｔoから送信され情報取得用ループアンテナＬＣ２及び高周波回路３２を介し受信された応答信号から、タグＩＤを読み取れたか否かを判定する。タグＩＤを読み取れた場合は判定が満たされ、タグラベル作成装置１の制御回路１１０が、高周波回路３２及び情報取得用ループアンテナＬＣ２を介し、情報取得用無線タグ回路素子Ｔoにデータ読み取り信号を送信する。一方、ステップＳ１２５で、タグＩＤを読み取れなかった場合は判定が満たされず、ステップＳ１１０に戻ってタグＩＤが読み取れるまで同様の手順を繰り返す。
【０１１６】
上記データ読み取り信号の送信の後は、携帯端末２００の情報取得用無線タグ回路素子Ｔoの制御部１５５は、ステップＳ１３５において、ループアンテナ１５２及び変復調部１５８を介し上記データ読み取り信号が受信されたか否かを判定する。この判定はデータ読み取り信号が受信されるまで続けられ、データ読み取り信号が受信されると判定が満たされて、つぎのステップＳ１４０に移る。
【０１１７】
ステップＳ１４０では、情報取得用無線タグ回路素子Ｔoの制御部１５５が、上記ステップＳ１３５でのデータ読み取り信号の受信に応答して、上記ステップＳ８０でメモリ１５７に格納された上記枚数分のセキュリティコード（割引金額の分割がない場合は１枚分のセキュリティコード）と、上記ステップＳ５０及びステップＳ５５で決定した１枚当たりの割引金額の単価とを含む応答信号を変復調部１５８で生成し、ループアンテナ１５２を介しタグラベル作成装置１側へと送信する。その後、ステップＳ１４５に移り、情報取得用無線タグ回路素子Ｔoの制御部１５５は、メモリ１５７からクーポン情報を消去し、携帯端末２００側のフローを終了する。
【０１１８】
一方、無線タグラベル作成装置１の制御回路１１０では、上記情報取得用無線タグ回路素子ＴoからステップＳ１４０において送信され、情報取得用ループアンテナＬＣ２及び高周波回路３２を介し受信された応答信号より、データ（セキュリティコード及び割引金額単価）を取得し、適宜の箇所（例えばＲＡＭ１１７）に記憶した後、ステップＳ１５０において通信プロトコルをタグラベル作成用のプロトコルＡ（第１通信プロトコル）に変更して、情報取得用無線タグ回路素子Ｔoからの情報取得のルーチンを終了する。
【０１１９】
なお、この図１４におけるステップＳ１１０〜ステップＳ１４０までで実行する一連のタグラベル作成装置１での制御手順が、各請求項記載の読み取り制御手段を構成する。
【０１２０】
図１５は、上記携帯端末２００の情報取得用無線タグ回路素子Ｔoで取得したクーポン情報に基づき、無線タグラベル作成装置１が無線タグラベルＴをクーポン券を無線タグラベルとして印字発行する際に、制御回路１１０により実行されるタグラベル作成処理の詳細手順を表すフローチャートである。
【０１２１】
図１５において、まずステップＳ３０５で、上記ＰＣ１１８から入出力インターフェース１１３を介して入力された操作信号と、上記図１４のステップＳ１４０において取得したデータ（割引金額の単価）とに基づき、印刷データ（割引クーポンである旨やその金額単価を表示する内容）やラベル作成用無線タグ回路素子Ｔoとの通信データ（書き込みデータ）、前・後ハーフカット位置やフルカット位置の設定等を行なう準備処理を実行する。
【０１２２】
次に、ステップＳ３１０において、ラベル作成用ループアンテナＬＣ１からラベル作成用無線タグ回路素子Ｔoへ通信を行う際、ラベル作成用無線タグ回路素子Ｔoからの応答がない場合に通信再試行（リトライ）を行う回数（アクセス試行回数）をカウントする変数Ｍ、Ｎを０に初期化する。また、無線タグラベルの作成が完了した枚数をカウントする変数Ｘについても１に初期化設定する。
【０１２３】
その後、ステップＳ３１５に移り、入出力インターフェース１１３を介し搬送用モータ駆動回路１２１に制御信号を出力し、搬送用モータ１１９の駆動力によってテープ送りローラ２７及びリボン巻取りローラ１０６を回転駆動させる。さらに、テープ排出モータ駆動回路１２３を介してテープ排出モータ６５に制御信号を出力し、駆動ローラ５１を回転駆動させる。これらにより、第１ロール１０２から基材テープ１０１が繰り出されテープ送りローラ２７へ供給されるとともに、第２ロール１０４からはカバーフィルム１０３が繰り出され、これら基材テープ１０１とカバーフィルム１０３とが上記テープ送りローラ２７及びサブローラ１０９により接着されて一体化されて印字済みタグラベル用テープ１０９として形成され搬送される。
【０１２４】
その後、ステップＳ３２０において、入出力インターフェース１１３を介し入力されたマーク検出センサ１２７の検出信号に基づき、基材テープ１０１の上記識別子ＰＭが検出されたかどうか（言い換えればカバーフィルム１０３が印字ヘッド２３による印刷開始位置まで到達したかどうか）を判定する。識別子ＰＭが検出されるまで判定が満たされずこの手順を繰り返しまで繰り返し、識別子ＰＭが検出されたら、判定が満たされて次のステップＳ３２５に移る。
【０１２５】
ステップＳ３２５では、入出力インターフェース１１３を介し印刷駆動回路１２０に制御信号を出力し、印字ヘッド２３を通電して、カバーフィルム１０３のうち前述した印字領域Ｓ（＝基材テープ１０１に所定ピッチで等間隔で配置されたラベル作成用無線タグ回路素子Ｔoの裏面にほぼ貼り合わせることとなる領域）に、ステップＳ３０５で生成した印刷データに対応した文字、記号、バーコード等のラベル印字Ｒ（前述の例では居酒屋の割引クーポンである旨やその金額単価を表示する内容。上記図１１（ａ）や図（ｃ）参照）の印刷を開始する。
【０１２６】
その後、ステップＳ３３０において、印字済みタグラベル用テープ１０９が先のステップＳ３０５で設定した前ハーフカット位置まで搬送されたかどうか（言い換えればハーフカットユニット３５のハーフカッタ３４が前ハーフカット線ＨＣ1に正対する位置まで印字済みタグラベル用テープ１０９が到達したかどうか）を判定する。このときの判定は、例えば、上記ステップＳ３２０において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。
【０１２７】
印字済みタグラベル用テープ１０９が前ハーフカット位置に到達するまでは判定が満たされずこの手順を繰り返し、印字済みタグラベル用テープ１０９が前ハーフカット位置に到達したら、ステップＳ３３０の判定が満たされて次のステップＳ３３５に移る。
【０１２８】
ステップＳ３３５では、入出力インターフェース１１３を介し搬送用モータ駆動回路１２１及びテープ排出モータ駆動回路１２３に制御信号を出力し、搬送用モータ１１９及びテープ排出モータ６５の駆動を停止して、テープ送りローラ２７、リボン巻取りローラ１０６、駆動ローラ５１の回転を停止する。これにより、カートリッジ７から繰り出された印字済みタグラベル用テープ１０９が排出方向に移動する過程で、ステップＳ１０５で設定した前ハーフカット線ＨＣ1にハーフカットユニット３５のハーフカッタ３４が正対した状態で、第１ロール１０２からの基材テープ１０１の繰り出し、第２ロール１０４からのカバーフィルム１０３の繰り出し、及び印字済みタグラベル用テープ１０９の搬送が停止する。またこのとき、入出力インターフェース１１３を介し印刷駆動回路１２０にも制御信号を出力し、印字ヘッド２３の通電を停止して、上記ラベル印字Ｒの印刷を停止（印刷中断）する。
【０１２９】
その後、ステップＳ３４０で、入出力インターフェース１１３を介しハーフカッターモータ駆動回路１２８に制御信号を出力してハーフカッターモータ１２９を駆動し、ハーフカッタ３４を回動させて、印字済みタグラベル用テープ１０９のカバーフィルム１０３、粘着層１０１ａ、ベースフィルム１０１ｂ及び粘着層１０１ｃを切断して前ハーフカット線ＨＣ1を形成する前ハーフカット処理を行う。
【０１３０】
そして、ステップＳ３４５に移り、上記ステップＳ３１５と同様にしてテープ送りローラ２７、リボン巻取りローラ１０６、駆動ローラ５１を回転駆動させて印字済みタグラベル用テープ１０９の搬送を再開するとともに、ステップＳ３２５と同様にして印字ヘッド２３に通電してラベル印字Ｒの印刷を再開する。
【０１３１】
その後、ステップＳ３５０において、搬送される印字済みタグラベル用テープ１０９が所定値（例えば、対応する印字が施されたカバーフィルム１０３が貼り合わされたラベル作成用無線タグ回路素子Ｔoがラベル作成用ループアンテナＬＣ１に到達するだけの搬送距離）だけ搬送されたかどうかを判断する。このときの搬送距離判定も、上記ステップＳ３３０と同様に、パルスモータである搬送用モータ１１９を駆動する搬送用モータ駆動回路１２１の出力するパルス数をカウントする等により行えば足りる。
【０１３２】
印字済みタグラベル用テープ１０９が所定値搬送されるまで判定が満たされずこの手順を繰り返し、印字済みタグラベル用テープ１０９が所定値搬送されたら、ステップＳ３５０の判定が満たされ、次のステップＳ４００に移る。
【０１３３】
次のステップＳ４００では、タグアクセス処理を行う。すなわち、ラベル作成用無線タグ回路素子Ｔoの通信位置（ラベル作成用無線タグ回路素子Ｔoがラベル作成用ループアンテナＬＣ１と正対する位置）まで搬送したら搬送及び印字を停止して情報送受信を行い、その後搬送及び印字を再開して印字を完了させ、さらに搬送して後ハーフカット位置で搬送を停止して後ハーフカット線ＨＣ2の形成を行う。
【０１３４】
以上のようにしてステップＳ４００が終了したら、ステップＳ３５５に移る（なおこの時点でステップＳ４００において印字済みタグラベル用テープ１０９の搬送が再開されている）。ステップＳ３５５では、印字済みタグラベル用テープ１０９が前述したフルカット位置まで搬送されたかどうか（言い換えれば切断機構１５の可動刃４１がステップＳ３０５で設定したフルカット位置に正対する位置まで印字済みタグラベル用テープ１０９が到達したかどうか）を判定する。このときの判定も、前述と同様、例えば、上記ステップＳ３２０において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。フルカット位置に到達するまで判定が満たされずこの手順を繰り返し、到達したら判定が満たされて次のステップＳ３６０に移る。
【０１３５】
ステップＳ３６０では、上記ステップＳ３３５と同様にして、テープ送りローラ２７、リボン巻取りローラ１０６、駆動ローラ５１の回転を停止して印字済みタグラベル用テープ１０９の搬送を停止する。これにより、ステップＳ１０５で設定したフルカット位置に切断機構１５の可動刃４１が正対した状態で、第１ロール１０２からの基材テープ１０１の繰り出し、第２ロール１０４からのカバーフィルム１０３の繰り出し、及び印字済みタグラベル用テープ１０９の搬送が停止する。
【０１３６】
その後、ステップＳ３６５において、カッターモータ駆動回路１２２に制御信号を出力してカッターモータ４３を駆動し、切断機構１５の可動刃４１を回動させて、印字済みタグラベル用テープ１０９のカバーフィルム１０３、粘着層１０１ａ、ベースフィルム１０１ｂ、粘着層１０１ｃ及び剥離紙１０１ｄをすべて切断（分断）して切断線を形成するフルカット処理を行う。この切断機構１５による分断によって印字済みタグラベル用テープ１０９から切り離され、ラベル作成用無線タグ回路素子Ｔoの無線タグ情報が読み取られかつこれに対応する所定の印字が行われたラベル状の無線タグラベルＴ（前述の例では割引クーポン券）が生成される。
【０１３７】
その後、ステップＳ３７０に移り、入出力インターフェース１１３を介してテープ排出モータ駆動回路１２３に制御信号を出力し、テープ排出モータ６５の駆動を再開して、駆動ローラ５１を回転させる。これにより、駆動ローラ５１による搬送が再開されて上記ステップＳ３６５でラベル状に生成された無線タグラベルＴがラベル排出口１１へ向かって搬送され、ラベル排出口１１から装置外へと排出される。
【０１３８】
ついでステップＳ３７５で、無線タグラベルの作成終了枚数をカウントする変数ＸがＰＣ１１８より指定された枚数ｎ（前述の例では図１１（ａ）の例のように割引額の分割をしない場合はｎ＝１、図１１（ｃ）のように割引額を４分割する場合にはｎ＝４、等）に達しているかどうかを判定し、指定枚数ｎの無線タグラベルＴの作成が終了していないときはステップＳ３７５の判定が満たされず、ステップＳ３８０に移り、変数Ｘに１を加えてステップＳ３１５に戻り、同様の手順を繰り返す。指定枚数ｎの無線タグラベルＴの作成が終了したら、ステップＳ３７５の判定が満たされて本フローを終了する。
【０１３９】
図１６は、上述したステップＳ４００の詳細手順を表すフローチャートである。
【０１４０】
まずステップＳ４０５において、印字済みタグラベル用テープ１０９が前述したラベル作成用ループアンテナＬＣ１との通信位置まで搬送されたかどうかを判定する。このときの判定も、前述した図１５のステップＳ３３０と同様、例えば、上記ステップＳ３２０において基材テープ１０１の識別子ＰＭを検出した後の搬送距離を所定の公知の方法で検出すればよい。
【０１４１】
ステップＳ４０５の判定を印字済みタグラベル用テープ１０９が通信位置に到達するまで繰り返し、印字済みタグラベル用テープ１０９が通信位置に到達したら、ステップＳ４０５の判定が満たされて次のステップＳ４１０に移る。
【０１４２】
ステップＳ４１０では、上記ステップＳ３３５と同様にして、テープ送りローラ２７、リボン巻取りローラ１０６、駆動ローラ５１の回転を停止し、ラベル作成用無線タグ回路素子Ｔoにラベル作成用ループアンテナＬＣ１が略正対した状態で印字済みタグラベル用テープ１０９の搬送が停止する。また、印字ヘッド２３の通電を停止して、上記ラベル印字Ｒの印刷を停止（中断）する。
【０１４３】
続いて、ステップＳ５００において、ラベル作成用ループアンテナＬＣ１とラベル作成用無線タグ回路素子Ｔoとの間で無線通信により情報の送受信を行い、ラベル作成用無線タグ回路素子ＴoのＩＣ回路部１５１に対し図１５の上記ステップＳ３０５で作成した情報を書き込む（又はＩＣ回路部１５１に予め記憶されていた情報を読み取る）情報送受信処理を行う（詳細は後述の図１７参照）。
【０１４４】
その後、ステップＳ４１５に移り、図１５のステップＳ３４５と同様にして、テープ送りローラ２７、リボン巻取りローラ１０６、駆動ローラ５１を回転駆動させて印字済みタグラベル用テープ１０９の搬送を再開するとともに、印字ヘッド２３に通電してラベル印字Ｒの印刷を再開する。
【０１４５】
その後、ステップＳ４２０に移り、印字済みタグラベル用テープ１０９が前述した印刷終了位置（図１５中ステップＳ３０５で算出）まで搬送されたかどうかを判定する。このときの判定も、前述と同様、例えば、上記ステップＳ３２０において識別子ＰＭを検出した後の搬送距離を所定の公知の方法で検出すればよい。印刷終了位置に到達するまで判定が満たされずこの手順を繰り返し、印刷終了位置に到達したら判定が満たされて次のステップＳ４２５に移る。
【０１４６】
ステップＳ４２５では、図１５のステップＳ３３５と同様にして、印字ヘッド２３の通電を停止して、上記ラベル印字Ｒの印刷を停止する。これによって、印字領域Ｓに対するラベル印字Ｒの印刷が完了する。
【０１４７】
その後、ステップＳ４３０に移り、所定の後ハーフカット位置まで搬送した後にハーフカッタ３４によって後ハーフカット線ＨＣ2の形成を行う後ハーフカット処理を行う。以上によりこのルーチンを終了する。
【０１４８】
図１７は、上述したステップＳ５００の詳細手順を表すフローチャートである。なおこの例では、前述の情報書き込み及び情報読み取りのうち、情報書込みを例にとって説明する。
【０１４９】
図１７において、まずステップＳ５０５で、切替回路８６に切替制御信号を出力し、アンテナ共用器２４０とラベル作成用ループアンテナＬＣ１とを接続させ、ステップＳ５１０に移る。
【０１５０】
ステップＳ５１０では、通信プロトコルをラベル作成用無線タグ回路素子Ｔoとの通信プロトコルであるプロトコルＡ（第１通信プロトコル）に切り替える。なお上記図１４のステップＳ１５０においてもこのプロトコルＡへの変更を行うため、このステップＳ１５０の後にこの手順を行う場合（携帯端末２００からデータを受け取って無線タグラベルＴを作成する場合）には、この手順を省略してもよい。
【０１５１】
次に、ステップＳ５１５に移り、入出力インターフェース１１３を介し前述の送信回路３０６に制御信号を出力し、ラベル作成用無線タグ回路素子Ｔoの記憶されたＩＤ情報を取得するための問合せ信号（この例ではタグＩＤ読取コマンド信号）として、所定の変調を行った質問波をラベル作成用ループアンテナＬＣ１を介して書き込み対象のラベル作成用無線タグ回路素子Ｔoに送信する。これにより、ラベル作成用無線タグ回路素子Ｔoの上記メモリ部１５７を初期化する。
【０１５２】
その後、ステップＳ５２０において、上記タグＩＤ読取コマンド信号に対応して書き込み対象のラベル作成用無線タグ回路素子Ｔoから送信されたリプライ信号（タグＩＤを含む）をラベル作成用ループアンテナＬＣ１を介して受信し、受信回路３０７及び入出力インターフェース１１３を介し取り込む。
【０１５３】
次に、ステップＳ５２５において、上記受信したリプライ信号に基づき、当該ラベル作成用無線タグ回路素子ＴoのタグＩＤが正常に読み取れたか否かを判定する。
【０１５４】
判定が満たされない場合はステップＳ５３０に移って変数Ｍに１を加え、さらにステップＳ５３５においてＭ＝５かどうかが判定される。Ｍ≦４の場合は判定が満たされずステップＳ５１５に戻り同様の手順を繰り返す。Ｍ＝５の場合はステップＳ５７０に移り、エラー表示信号を入出力インターフェース１１３を介し上記ＰＣ１１８へ出力し、対応する書き込み失敗（エラー）表示を行わせ、このルーチンを終了する。このようにして初期化が不調でも５回までは再試行が行われる。
【０１５５】
ステップＳ５２５の判定が満たされた場合、ステップＳ５４０に移り、送信回路３０６に制御信号を出力し、ステップＳ５２０にて読み取ったタグＩＤを指定して該当するタグに所望のデータをメモリ部１５７に書き込む信号（この例ではWriteコマンド信号）として、所定の変調を行った質問波をラベル作成用ループアンテナＬＣ１を介して情報書き込み対象のラベル作成用無線タグ回路素子Ｔoに送信し、情報を書き込む（書き込み制御手段）。ここでは、上記図１４のステップＳ１４０において携帯端末２００の情報取得用無線タグ回路素子Ｔoから取得したクーポン券のセキュリティコードと割引金額（単価）とが書き込まれる。
【０１５６】
その後、ステップＳ５４５において、送信回路３０６に制御信号を出力しステップＳ５２０にて読み取ったタグＩＤを指定して該当するタグのメモリ部１５７に記録されたデータを読み出す信号（この例ではReadコマンド信号）として所定の変調を行った質問波をラベル作成用ループアンテナＬＣ１を介して情報書き込み対象のラベル作成用無線タグ回路素子Ｔoに送信し、返信を促す。
【０１５７】
その後ステップＳ５５０において、上記Readコマンド信号に対応して書き込み対象のラベル作成用無線タグ回路素子Ｔoから送信されたリプライ信号をラベル作成用ループアンテナＬＣ１を介して受信し、受信回路３０７を介し取り込む。
【０１５８】
次に、ステップＳ５５５において、上記受信したリプライ信号に基づき、当該ラベル作成用無線タグ回路素子Ｔoのメモリ部１５７内に記憶された情報を確認し、公知の誤り検出符号（ＣＲＣ符号；Cyclic  Redundancy  Check等）を用いて、前述の送信した所定の情報がメモリ部１５７に正常に記憶されたか否かを判定する。
【０１５９】
判定が満たされない場合はステップＳ５６０に移って変数Ｎに１を加え、さらにステップＳ５６５においてＮ＝５かどうかが判定される。Ｎ≦４の場合は判定が満たされずステップＳ５４０に戻り同様の手順を繰り返す。Ｎ＝５の場合は前述したステップＳ５７０に移り、同様にＰＣ１１８に対応する書き込み失敗（エラー）表示を行わせ、このルーチンを終了する。このようにして情報書き込みが不調でも５回までは再試行が行われる。
【０１６０】
ステップＳ５５５の判定が満たされた場合、ステップＳ５７５に移り、送信回路３０６に制御信号を出力し、ステップＳ５２０にて読み取ったタグＩＤを指定して該当するタグのメモリ部１５７に記録されたデータの上書きを禁止する信号（この例ではロックコマンド信号）として所定の変調を行った質問波をラベル作成用ループアンテナＬＣ１を介して情報書き込み対象のラベル作成用無線タグ回路素子Ｔoに送信し、当該ラベル作成用無線タグ回路素子Ｔoへの新たな情報の書き込みを禁止する。これにより、書き込み対象とするラベル作成用無線タグ回路素子Ｔoへの無線タグ情報の書き込みが完了する。
【０１６１】
次に、ステップＳ５８０に移り、上記書き込み成功に対応し、上記ＲＡＭ１１７から、記憶されていたセキュリティコードを消去する。
【０１６２】
その後、上記ステップＳ５８５でラベル作成用無線タグ回路素子Ｔoに書き込まれた情報と、これに対応して既に印字ヘッド２３により印字領域Ｓに印字されるラベル印字Ｒの印字情報との組み合わせを、入出力インターフェース１１３及び通信回線ＮＷを介し出力し、情報サーバＩＳやルートサーバＲＳに記憶させる。なお、この記憶データは必要に応じてＰＣ１１８より参照可能に例えば各サーバＩＳ，ＲＳのデータベース内に格納保持される。以上により、このルーチンを終了する。
【０１６３】
図１８は、上記のようにしてタグラベル作成装置１において無線タグラベルＴとして発行したクーポン券を、実際に利用する時に実行される制御手順を表わすフローチャートである。このフローは、例えば作成されたクーポン券の利用者が、クーポン券を利用できる店舗（上記の例では居酒屋の店舗）にあるリーダ（無線タグ情報読み取り装置）にクーポン券を近づけることにより開始される。
【０１６４】
まず、ステップＳ６００において、（利用者がクーポン券を利用するために店員に渡し、店員がクーポン券をリーダに走査させる等に対応し）店舗のリーダがクーポン券（無線タグラベルＴ；以下「クーポンラベル」）の無線タグ回路素子Ｔo（ラベル作成用無線タグ回路素子）に対し、タグ識別情報のＩＤを読み取るための問いかけ信号（読み取り信号）を送信する（このとき用いられる通信プロトコルは、通信プロトコルＢである）。
【０１６５】
ステップＳ６０５では、クーポンラベルの無線タグ回路素子Ｔoが、タグＩＤを含む応答信号を生成しリーダ側へと送信する。
【０１６６】
次いでステップＳ６１０で、リーダが、上記クーポンラベルの無線タグ回路素子Ｔoから送信された応答信号から、タグＩＤを読み取れたか否かを判定する。タグＩＤを読み取れた場合は判定が満たされ、クーポンラベルの無線タグ回路素子Ｔoにデータ読み取り信号を送信する。一方、ステップＳ６１０でタグＩＤを読み取れなかった場合は判定が満たされず、ステップＳ６００に戻ってタグＩＤが読み取れるまで同様の手順を繰り返す。
【０１６７】
次のステップＳ６２０では、リーダからのデータ読み取り信号の受信に応答して、クーポンラベルの無線タグ回路素子Ｔoが、上記図１７のステップＳ５４０においてメモリ１５７に書き込まれた上記セキュリティコードと割引金額単価とを含む応答信号を生成し、リーダ側に返信してクーポンラベル側のルーチンを終了する。
【０１６８】
一方、店舗のリーダでは、上記クーポンラベルの無線タグ回路素子ＴoからステップＳ６２０において送信され受信された応答信号より、データ（セキュリティコード及び割引金額単価）を取得する。その後、ステップＳ６２５において、適宜の通信ネットワークを介し、前述のネットサービスのサーバへの接続を行う（接続通信を行う）。
【０１６９】
その後、ステップＳ６３０において、リーダは、上記ステップＳ６２０においてクーポンラベルの無線タグ回路素子Ｔoから取得したセキュリティコードをサーバに送信し、当該セキュリティコードの認証を要求する。
【０１７０】
これを受けて、サービスサーバでは、ステップＳ６３５において、サーバが、上記認証要求されたセキュリティコードをチェック処理し、その後ステップＳ６４０において、当該セキュリティコードが有効か否か（上記図１３のステップＳ６５及びステップＳ７０の手順を経て正当に付与されたものであるかどうか）を判定する。
【０１７１】
正当に付与されたセキュリティコードではない（例えば架空の番号等）場合は、ステップＳ６４０の判定が満たされず、サーバは、店舗のリーダに対し無効通知を送信する。一方、正当に付与されたセキュリティコードであった場合はステップＳ６４０の判定が満たされ、ステップＳ６４５に移り、サーバは、店舗のリーダにクーポン券の有効通知を送信する。
【０１７２】
例えば、この有効通知に基づくリーダでの有効表示を確認した店員が、利用者がクーポン券を利用するかどうかの意思表示を確認後、利用するかしないかに対応した操作入力をリーダに対して行う。リーダは、ステップＳ６５０において、このクーポン券利用の有無を判定する。クーポン券利用の場合はステップＳ６５０の判定が満たされてステップＳ６５５に移り、サーバへクーポン券の利用通知を送信し、リーダでのルーチンを終了する。クーポン券を利用しない（今回は利用見送り）等の場合はステップＳ６５０の判定が満たされず、そのままこのリーダでのルーチンを終了する。
【０１７３】
一方、上記ステップＳ６５５での利用通知を受信したサーバは、ステップＳ６６０において、上記クーポン券の利用通知に対応し、予め各セキュリティコードに対応づけて設けられたテーブルにおいて、利用通知を受けたセキュリティコードの未利用・利用済みに関する情報を、利用済みに書き換え、サーバ側でのルーチンを終了する。
【０１７４】
以上説明したように、本実施形態のタグラベル作成装置１は、ラベル作成時に用いるラベル作成用アンテナＬＣ１とは別に情報取得用アンテナＬＣ２が備えられ、筐体２Ａ外部に位置する情報取得用無線タグ回路素子Ｔo（前述の例では携帯端末２００に設けた無線タグ回路素子Ｔo）に対し通信を行うことができる。この結果、情報取得用無線タグ回路素子Ｔoより取得した情報に対応した情報を、ラベル作成用無線タグ回路素子Ｔoに書き込み、タグラベルＴ（前述の例ではクーポンラベル）を作成することができる。
【０１７５】
このとき、情報取得用アンテナＬＣ２を介した情報取得用無線タグ回路素子Ｔoとの通信と、ラベル作成用アンテナＬＣ１を介したラベル作成用無線タグ回路素子Ｔoとの通信とで、異なる通信プロトコルを用いる。これにより、上記のように、携帯端末２００等の固有の通信プロトコルＢに対応した情報取得用無線タグ回路素子Ｔoより情報を取得し、その取得した情報に対応した情報を、別の通信プロトコルＡを用いてラベル作成用無線タグ回路素子Ｔoへ書き込むことができる。言い換えれば、情報取得用無線タグ回路素子Ｔoに記憶した情報を、別の通信プロトコルに変換した形でラベル化（上記の例ではクーポンラベル化）することができる。したがって、上記のような情報の可視化（ネットサービスから取得した割引サービスのラベル化）やコピー・分割（前述の割引金額を４分割化）等、多種多様な情報の活用が可能となり、利便性を向上することができる。
【０１７６】
また本実施形態では特に、上記のようにクーポン券発行を介した割引サービスに用いる場合において、複数のラベル作成用無線タグ回路素子Ｔoに対し、割引金額（例えば２０００円）をそれぞれ書き込むようにすることもできる。この場合、ある利用者が例えば１つの携帯端末２００等を用いて店舗の情報提供サービスにアクセスし割引サービスの権利を獲得したとき、その割引サービスの利益全部を、複数の無線タグラベルそれぞれの持ち主（複数の利用者）で同等に得ることができる（図１１（ａ）の２０００円割引用の無線タグラベルＴを複数枚発行）。また、ある利用者が例えば１つの携帯端末等を用いて店舗の情報提供サービスにアクセスし割引サービスの権利を獲得したとき、その割引サービスの利益（例えば２０００円）を、複数の無線タグラベルそれぞれの持ち主（複数の利用者）で分配して得ることもできる（図１１（ｃ）のように４００円割引用の無線タグラベルＴを５枚発行等）。
【０１７７】
また本実施形態では特に、割引サービスの照合のためのセキュリティコードを用いることで、店舗側のリーダで読み取ったとき、割引情報が正当に取得されたものであるか（不法に取得されたものでないか）を検査することができる。
【０１７８】
なお、上記情報取得用アンテナＬＣ２を用いた高周波回路３２での情報取得において、通信プロトコルＢ（第２通信プロトコル）の中でもさらに詳細が異なる複数種類の通信プロトコルを使用可能としてもよい。この場合、情報取得用無線タグ回路素子Ｔoからの情報取得時において、（通信プロトコルＢの中でも）複数種の情報取得用無線タグ回路素子Ｔoに対し、それぞれ対応した最適な通信プロトコルを用いて情報取得可能となる。
【０１７９】
また、上記ラベル作成用アンテナＬＣ１を用いた高周波回路３２での無線タグ情報の送受信において、通信プロトコルＡ（第１通信プロトコル）の中でもさらに詳細が異なる複数種類の通信プロトコルを使用可能としてもよい。この場合、ラベル作成用無線タグ回路素子Ｔoとの情報送受信において、（通信プロトコルＡの中でも）複数種のラベル作成用無線タグ回路素子Ｔoに対し、それぞれ対応した最適な通信プロトコルを用いて情報送受信可能となる。またこのとき、カートリッジセンサ８１からの検出信号に基づき、制御回路１１０が上記通信プロトコルを（通信プロトコルＡの中で）切り替えて制御するようにしてもよい。この場合、カートリッジホルダ６に装着されたカートリッジ７の種類に最適な通信プロトコルＡを用いて、ラベル作成用無線タグ回路素子ＴoのＩＣ回路部１５１への書き込みを行うことができる。
【０１８０】
また、以上の構成及び動作において、無線タグラベルＴの作成処理を実施している最中に情報取得処理への切替操作が行われたときに、タグラベル作成処理を中止して情報取得処理を優先的に実行するようにしてもよいが、これに限られない。すなわちタグラベル作成処理を中止せず、タイムシェアリング方式でタグラベル作成処理と情報取得処理とを同時並行しつつ、タグラベル作成処理のデューティ（実行時間比率）を下げるようにして実施するようにしてもよい。
【０１８１】
この場合、制御回路１１０によって、時分割した所定の占有期間（タイムスロット）毎に切替回路８６を切り替えることで、タイムシェアリング方式でラベル作成用ループアンテナＬＣ１と情報取得用ループアンテナＬＣ２とを同時に作動させる。
【０１８２】
図１９に、このタイムシェアリングの挙動の一例を概念的に表す。図１８の例では、タイムスロットの分配比率を「タグラベル作成処理」：「情報取得処理」２：１とすることで、タグラベル作成処理のデューティを下げている。この場合、送信回路３０６によるアクセス情報の送信頻度を通常よりも低下させた態様のタグラベル作成処理と、送信回路３０６によるアクセス情報の送信頻度を通常よりも低下させた態様の情報取得処理とが同時に並立して実行されることとなる。これにより、タグラベル作成処理を実行しようとする操作者と情報取得処理を実行しようとする操作者とが同じタイミングでタグラベル作成装置１に対し当該処理の指示を行ったとしても、いずれの処理についても実行される。
【０１８３】
なお、本発明は、上記実施形態に限られるものではなく、その趣旨及び技術的思想を逸脱しない範囲内で種々の変形が可能である。
【０１８４】
また、以上においては、ラベル作成用無線タグ回路素子Ｔoを備えた基材テープ１０１とは別のカバーフィルム１０３に印字を行ってこれらを貼り合わせる方式であったが、これに限られず、例えばタグテープに備えられた被印字テープ層の印字領域に印字を行う方式（貼りあわせを行わないタイプ）に本発明を適用してもよい。
【０１８５】
また、以上において、印字及びラベル作成用無線タグ回路素子Ｔoへのアクセス（読み取り又は書き込み）の終了した印字済みタグラベル用テープ１０９を切断機構１５で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、切断機構１５で切断しなくても、テープがラベル排出口１１から排出されてきた後にラベル台紙（アクセス済みのラベル作成用無線タグ回路素子Ｔoが備えられかつ対応する印字がなされたもの）のみをテープから剥がして無線タグラベルＴを作成しても良く、本発明はこのようなものに対しても適用できる。
【０１８６】
その他、一々例示はしないが、本発明は、その趣旨を逸脱しない範囲内において、種々の変更が加えられて実施されるものである
【図面の簡単な説明】
【０１８７】
【図１】本発明の一実施形態のタグラベル作成装置を備えた無線タグ生成システムを表すシステム構成図である。
【図２】タグラベル作成装置の全体構造を表す斜視図である。
【図３】タグラベル作成装置の内部ユニットの構造を表す斜視図である。
【図４】タグラベル作成装置の内部ユニットの構造を表す平面図である。
【図５】カートリッジの詳細構造を模式的に表す拡大平面図である。
【図６】本発明の一実施形態であるタグラベル作成装置の制御系を表す機能ブロック図である。
【図７】高周波回路の詳細機能を表す機能ブロック図である。
【図８】タグラベル作成装置と通信可能な携帯端末を表わす斜視図である。
【図９】携帯端末の詳細機能を表す機能ブロック図である。
【図１０】無線タグ回路素子の機能的構成を表す機能ブロック図である。
【図１１】タグラベル作成装置によりラベル作成用無線タグ回路素子の情報書き込み（又は読み取り）及び印字済みタグラベル用テープの切断が完了し形成された無線タグラベルの外観の一例を表す上面図及び下面図である。
【図１２】図１１中XIIA−XIIA′断面による横断面図を反時計方向に９０°回転させた図及び図１１中XIIB−XIIB′断面による横断面図を反時計方向に９０°回転させた図である。
【図１３】携帯端末によってサーバー上の店舗のホームページから割引サービスの情報を情報取得用無線タグ回路素子に取得する際に実行される制御手順を表すフローチャートである。
【図１４】タグラベル作成装置により携帯端末の情報取得用無線タグ回路素子からクーポン情報を取得する際の制御手順を表わすフローチャートである。
【図１５】タグラベル作成処理の詳細手順を表すフローチャートである。
【図１６】図１５におけるステップＳ４００の詳細手順を表すフローチャートである。
【図１７】図１６におけるステップＳ５００の詳細手順を表すフローチャートである。
【図１８】クーポン券利用時のシーケンスを表わすフローチャートである。
【図１９】タグラベル作成処理と情報取得処理とを同時並行して実施する場合のタイムシェアリングの挙動の一例を概念的に表す図である。
【符号の説明】
【０１８８】
１        タグラベル作成装置
２        装置本体
２Ａ      筐体
２３      印字ヘッド（印字手段）
１０１    基材テープ（タグ媒体）
１０８    テープ送りローラ駆動軸（搬送手段）
１５１    ＩＣ回路部
１５２    ループアンテナ（タグ側アンテナ）
１５５    制御部
２００    携帯端末
３０６    送信回路
ＬＣ１    ラベル作成用ループアンテナ
ＬＣ２    情報取得用ループアンテナ
Ｔ        無線タグラベル
Ｔｏ      無線タグ回路素子（ラベル作成用無線タグ回路素子、情報取得用無線タグ回路素子）
【図１】
2009059175.tif 000003
【図２】
2009059175.tif 000004
【図３】
2009059175.tif 000005
【図４】
2009059175.tif 000006
【図５】
2009059175.tif 000007
【図６】
2009059175.tif 000008
【図７】
2009059175.tif 000009
【図８】
2009059175.tif 000010
【図９】
2009059175.tif 000011
【図１０】
2009059175.tif 000012
【図１１】
2009059175.tif 000013
【図１２】
2009059175.tif 000014
【図１３】
2009059175.tif 000015
【図１４】
2009059175.tif 000016
【図１５】
2009059175.tif 000017
【図１６】
2009059175.tif 000018
【図１７】
2009059175.tif 000019
【図１８】
2009059175.tif 000020
【図１９】
2009059175.tif 000021